(57)【特許請求の範囲】
【請求項１】
所定の撮影画像データを管理する画像管理システムであって、
前記所定の撮影画像データにおける人物像を検出する検出手段と、
前記所定の撮影画像データからサムネイルデータを作成する作成手段と、
前記作成された所定のサムネイルデータを識別するための所定のサムネイル識別情報、及び、前記所定のサムネイルデータが作成された元の撮影画像データに関連する所定の関連情報を関連付けて管理する管理手段と、
通信端末に対して、前記作成された所定のサムネイルデータを送信する送信手段と、
前記通信端末から、前記所定の関連情報のうち特定の関連情報に関連付けられている特定のサムネイル識別情報に係る特定のサムネイルに表示を変更するための変更要求を受信する受信手段と、
を有し、
前記所定の関連情報は、前記検出された人物像の検出数を含み、
前記変更要求は、１以上の人物像が含まれた撮影画像データに基づいて作成された特定のサムネイルに絞り込んだ表示に変更する要求であり、
前記送信手段は、前記通信端末に対して、前記管理手段において前記変更要求に係る特定の関連情報としての１以上の検出数に関連付けられている特定のサムネイル識別情報で示される特定のサムネイルデータを送信することを特徴とする画像管理システム。
【請求項２】
前記検出手段は、前記所定の撮影画像データにおける人物像の特徴量に基づいて各人物像を特定し、
前記所定の関連情報は、前記特定された各人物を識別するための各人物識別情報を含み、
前記変更要求は、同一人物像が含まれる撮影画像データに基づいて作成された特定のサムネイルを重ねた表示に変更する要求であり、
前記送信手段は、前記通信端末に対して、前記管理手段において同じ人物識別情報が関連付けられている特定のサムネイル識別情報に係るサムネイル同士の少なくとも一部を重ねた状態で特定のサムネイルデータを送信することを特徴とする請求項１に記載の画像管理システム。
【請求項３】
前記検出手段は、前記検出した各人物像の前記所定の撮影画像データにおける位置を特定し、
前記所定の関連情報は、前記各人物像の前記所定の撮影画像データにおける所定位置を示す所定の人物位置情報を含み、
前記変更要求は、前記所定の人物位置情報のうち前記撮影画像データに係る画像における特定の画像領域内に含まれている特定の人物位置情報で示される特定の人物像が含まれた特定の画像に係るサムネイルに限定した表示に変更する要求であり、
前記送信手段は、前記通信端末に対して、前記管理手段において特定の人物位置情報に関連付けられている特定のサムネイル識別情報で示される特定のサムネイルデータを送信することを特徴とする請求項１又は２に記載の画像管理システム。
【請求項４】
前記作成手段は、前記人物像の検出数を含んだサムネイルデータを作成することを特徴とする請求項１乃至３のいずれか一項に記載の画像管理システム。
【請求項５】
前記受信手段は、前記通信端末から、前記所定の撮影画像データに係る画像に描画された描画像データを受信し、
前記所定の関連情報は、前記所定の各撮影画像データにおける描画像の添付数を含み、
前記変更要求は、１以上の描画像が描画された撮影画像に係るサムネイルに絞り込んだ表示に変更する要求であり、
前記送信手段は、前記通信端末に対して、前記管理手段において１以上の添付数に関連付けられている特定のサムネイル識別情報で示される特定のサムネイルデータを送信することを特徴とする請求項１乃至４のいずれか一項に記載の画像管理システム。
【請求項６】
前記所定の関連情報は、前記各描画像の前記所定の撮影画像データにおける所定位置を示す所定の描画位置情報を含み、
前記変更要求は、前記所定の描画位置情報のうち前記撮影画像データに係る画像における特定の画像領域内に含まれている特定の描画位置情報で示される特定の描画像が含まれた特定の画像に係るサムネイルに絞り込んだ表示に変更する要求であり、
前記送信手段は、前記通信端末に対して、前記管理手段において特定の描画位置情報に関連付けられている特定のサムネイル識別情報で示される特定のサムネイルデータを送信することを特徴とする請求項５に記載の画像管理システム。
【請求項７】
前記作成手段は、前記描画像の添付数を含んだサムネイルデータを作成することを特徴とする請求項５又は６に記載の画像管理システム。
【請求項８】
前記所定の関連情報は、前記所定の撮影画像データが得られた撮影日時を含み、
前記変更要求は、前記撮影日時に応じてサムネイルの表示位置の間隔を空けた表示に変更する要求であり、
前記送信手段は、前記通信端末に対して、前記管理手段において前記撮影日時に関連付けられている特定のサムネイル識別情報で示される特定のサムネイルデータを送信することを特徴とする請求項１乃至７のいずれか一項に記載の画像管理システム。
【請求項９】
前記撮影画像データは、全天球パノラマ撮影画像データであることを特徴とする請求項１乃至８のいずれか一項に記載の画像管理システム。
【請求項１０】
請求項９に記載の画像管理システムと、
被写体を撮像して前記全天球パノラマ撮影画像データを得る撮像装置と、
を有することを特徴とする画像通信システム。
【請求項１１】
所定の撮影画像データを管理する画像管理システムが実行する画像管理方法であって、
前記画像管理システムは、
前記所定の撮影画像データにおける人物像を検出する検出ステップと、
前記所定の撮影画像データからサムネイルデータを作成する作成ステップと、
前記作成された所定のサムネイルデータを識別するための所定のサムネイル識別情報、及び、前記所定のサムネイルデータが作成された元の撮影画像データに関連する所定の関連情報を関連付けて管理手段に管理する管理ステップと、
通信端末に対して、前記作成された所定のサムネイルデータを送信する送信ステップと、
前記通信端末から、前記所定の関連情報のうち特定の関連情報に関連付けられている特定のサムネイル識別情報に係る特定のサムネイルに表示を変更するための変更要求を受信する受信ステップと、
を有し、
前記所定の関連情報は、前記検出された人物像の検出数を含み、
前記変更要求は、１以上の人物像が含まれた撮影画像データに基づいて作成された特定のサムネイルに絞り込んだ表示に変更する要求であり、
前記送信ステップは、前記通信端末に対して、前記管理手段において前記変更要求に係る特定の関連情報としての１以上の検出数に関連付けられている特定のサムネイル識別情報で示される特定のサムネイルデータを送信する処理を含むことを特徴とする画像管理方法。
【請求項１２】
コンピュータに、請求項１１に記載の各ステップを実行させることを特徴とするプログラム。
【発明の詳細な説明】
【技術分野】
【０００１】
本発明は、画像管理システム、画像管理方法、画像通信システム及びプログラムに関するものである。
【背景技術】
【０００２】
近年、一度の撮影で、３６０°の全天球パノラマ画像を得る特殊なデジタルカメラが提供されている（特許文献１参照）。
【０００３】
このデジタルカメラは、全天球パノラマ画像データを得るが、そのままでは画像が湾曲して利用者が見えづらいため、スマートフォン等が全天球パノラマ画像の一部である所定領域画像を表示することで、利用者は従来のデジタルカメラで撮影された画像と同じ平面画像を閲覧することができる。
【０００４】
また、このようなデジタルカメラを所定の店舗等に設置すれば、デジタルカメラが撮影して得た撮影画像データをサーバ等に送信することで、利用者が通信端末によってサーバから撮影画像データを取得し、店舗の状況の監視等を行なうことができる。
【発明の概要】
【発明が解決しようとする課題】
【０００５】
しかしながら、撮影時間が長い場合、利用者は、注目すべき撮影画像データを探すことが困難であるという課題が生じる。
【課題を解決するための手段】
【０００６】
請求項１に係る発明は、所定の撮影画像データを管理する画像管理システムであって、前記所定の撮影画像データにおける人物像を検出する検出手段と、前記所定の撮影画像データからサムネイルデータを作成する作成手段と、前記作成された所定のサムネイルデータを識別するための所定のサムネイル識別情報、及び、前記所定のサムネイルデータが作成された元の画像データに関連する所定の関連情報を関連付けて管理する管理手段と、通信端末に対して、前記作成された所定のサムネイルデータを送信する送信手段と、前記通信端末から、前記所定の関連情報のうち特定の関連情報に関連付けられている特定のサムネイル識別情報に係る特定のサムネイルに表示を変更するための変更要求を受信する受信手段と、を有し、前記所定の関連情報は、前記検出された人物像の検出数を含み、前記変更要求は、１以上の人物像が含まれた撮影画像データに基づいて作成された特定のサムネイルに絞り込んだ表示に変更する要求であり、前記送信手段は、前記通信端末に対して、前記管理手段において前記変更要求に係る特定の関連情報としての１以上の検出数に関連付けられている特定のサムネイル識別情報で示される特定のサムネイルデータを送信することを特徴とする画像管理システムである。
【発明の効果】
【０００７】
以上説明したように本発明によれば、利用者は、注目すべき撮影画像データを探すことが困難であるという課題を解消することができる。
【図面の簡単な説明】
【０００８】
【図１】（ａ）は撮影装置の左側面図であり、（ｂ）は撮影装置の正面図であり、（ｃ）は撮影装置の平面図である。
【図２】撮影装置の使用イメージ図である。
【図３】（ａ）は撮影装置で撮影された半球画像（前）、（ｂ）は撮影装置で撮影された半球画像（後）、（ｃ）はメルカトル図法により表された画像を示した図である。
【図４】（ａ）メルカトル画像で球を被う状態を示した概念図、（ｂ）全天球パノラマ画像を示した図である。
【図５】全天球パノラマ画像を３次元の立体球とした場合の仮想カメラ及び所定領域の位置を示した図である。
【図６】（ａ）は図４の立体斜視図、（ｂ）はディスプレイに所定領域の画像が表示された通信端末を示す図である。
【図７】所定領域情報と所定領域画像との関係を示した図である。
【図８】本発明の実施形態に係る画像通信システムの概略図である。
【図９】撮影装置のハードウェア構成図である。
【図１０】通信端末３のハードウェア構成図である。
【図１１】画像管理システム及び通信端末のハードウェア構成図である。
【図１２】本実施形態の処理の概略を示した図である。
【図１３】画像通信システムの機能ブロック図である。
【図１４】拠点管理テーブルを示す概念図である。
【図１５】端末管理テーブルを示す概念図である。
【図１６】撮影管理テーブルを示す概念図である。
【図１７】画像管理テーブルを示す概念図である。
【図１８】サムネイル管理テーブルを示す概念図である。
【図１９】人物画像の位置と範囲の概念図、（ｂ）描画像の位置と範囲の概念図である。
【図２０】描画像管理テーブルを示す概念図である。
【図２１】拠点レイアウトマップの概念図である。
【図２２】撮影予約の処理を示すシーケンス図である。
【図２３】撮影指示を行なう処理を示したシーケンス図である。
【図２４】レイアウトマップの表示の処理を示すシーケンス図である。
【図２５】撮影画像データの表示処理を示すシーケンス図である。
【図２６】サムネイルの作成処理を示すフローチャートである。
【図２７】日程表画面を示す図である
【図２８】日程表画面を示す図である。
【図２９】レイアウトマップの表示の画面例を示す図である。
【図３０】特定拠点における所定領域画像を示す図である。
【図３１】特定拠点における拠点状況画面である。
【図３２】特定拠点における拠点状況画面である。
【図３３】サムネイルの表示を変更する処理を示すシーケンス図である。
【図３４】サムネイルの表示を変更する処理を示すフローチャートである。
【図３５】特定拠点における拠点状況画面である。
【図３６】特定拠点における拠点状況画面である。
【図３７】特定拠点における拠点状況画面である。
【図３８】特定拠点における拠点状況画面である。
【図３９】特定拠点における拠点状況画面である。
【図４０】特定拠点における拠点状況画面である。
【図４１】特定拠点における拠点状況画面の変形例である。
【図４２】特定拠点における拠点状況画面の変形例である。
【発明を実施するための形態】
【０００９】
以下、図面を用いて、本発明の実施形態について説明する。
【００１０】
＜＜実施形態の概略＞＞
＜全天球パノラマ画像の生成方法＞
図１乃至図７を用いて、全天球パノラマ画像の生成方法について説明する。
【００１１】
まず、図１を用いて、撮影装置１の外観を説明する。撮影装置１は、全天球（３６０°）パノラマ画像の元になる撮影画像を得るためのデジタルカメラである。なお、図１（ａ）は撮影装置の左側面図であり、図１（ｂ）は撮影装置の正面図であり、図１（ｃ）は撮影装置の平面図である。
【００１２】
図１（ａ）に示されているように、撮影装置１は、人間が片手で持つことができる大きさである。また、図１（ａ），（ｂ），（ｃ）に示されているように、撮影装置１の上部には、正面側（前側）に撮像素子１０３ａ及び背面側（後側）に撮像素子１０３ｂが設けられている。また、図１（ｂ）に示されているように、撮影装置１の正面側には、シャッターボタン等の操作部１１５が設けられている。
【００１３】
次に、図２を用いて、撮影装置１の使用状況を説明する。なお、図２は、撮影装置の使用イメージ図である。撮影装置１は、図２に示されているように、ユーザが手に持ってユーザの周りの被写体を撮影するために用いられる。この場合、図１に示されている撮像素子１０３ａ及び撮像素子１０３ｂによって、それぞれユーザの周りの被写体が撮像されることで、２つの半球画像を得ることができる。
【００１４】
次に、図３及び図４を用いて、撮影装置１で撮影された画像から全天球パノラマ画像が作成されるまでの処理の概略を説明する。なお、図３（ａ）は撮影装置で撮影された半球画像（前側）、図３（ｂ）は撮影装置で撮影された半球画像（後側）、図３（ｃ）はメルカトル図法により表された画像（以下、「メルカトル画像」という）を示した図である。図４（ａ）はメルカトル画像で球を被う状態を示した概念図、図４（ｂ）は全天球パノラマ画像を示した図である。
【００１５】
図３（ａ）に示されているように、撮像素子１０３ａによって得られた画像は、後述の魚眼レンズ１０２ａによって湾曲した半球画像（前側）となる。また、図３（ｂ）に示されているように、撮像素子１０３ｂによって得られた画像は、後述の魚眼レンズ１０２ｂによって湾曲した半球画像（後側）となる。そして、半球画像（前側）と、１８０度反転された半球画像（後側）とは、撮影装置１によって合成され、図３（ｃ）に示されているように、メルカトル画像が作成される。
【００１６】
そして、OpenGL ES（Open Graphics Library for Embedded Systems）が利用されることで、図４（ａ）に示されているように、メルカトル画像が球面を覆うように貼り付けられ、図４（ｂ）に示されているような全天球パノラマ画像が作成される。このように、全天球パノラマ画像は、メルカトル画像が球の中心を向いた画像として表される。なお、OpenGL ESは、２Ｄ(2-Dimensions)および３Ｄ(3-Dimensions)のデータを視覚化するために使用するグラフィックスライブラリである。なお、全天球パノラマ画像は、静止画であっても動画であってもよい。
【００１７】
以上のように、全天球パノラマ画像は、球面を覆うように貼り付けられた画像であるため、人間が見ると違和感を持ってしまう。そこで、全天球パノラマ画像の一部の所定領域（以下、「所定領域画像」という）を湾曲の少ない平面画像として表示することで、人間に違和感を与えない表示をすることができる。これに関して、図５及び図６を用いて説明する。
【００１８】
なお、図５は、全天球パノラマ画像を３次元の立体球とした場合の仮想カメラ及び所定領域の位置を示した図である。仮想カメラＩＣは、３次元の立体球として表示されている全天球パノラマ画像に対して、その画像を見るユーザの視点の位置に相当するものである。また、図６（ａ）は図５の立体斜視図、図６（ｂ）はディスプレイに表示された場合の所定領域画像を表す図である。また、図６（ａ）では、図４に示されている全天球パノラマ画像が、３次元の立体球ＣＳで表わされている。このように生成された全天球パノラマ画像が、立体球ＣＳであるとすると、図５に示されているように、仮想カメラＩＣが全天球パノラマ画像の外部に位置している。全天球パノラマ画像における所定領域Ｔは、この全天球パノラマ画像における仮想カメラＩＣの位置の所定領域情報によって特定される。この所定領域情報は、例えば、座標ｘ(rH)、座標ｙ(rV)、及び画角α(angle)によって示される。所定領域Ｔのズームは、画角αの範囲（円弧）を広げたり縮めたりすることで表現することができる。また、所定領域Ｔのズームは、仮想カメラＩＣを全天球パノラマ画像に近づいたり、遠ざけたりすることで表現することもできる。
【００１９】
そして、図６（ａ）で示されているように、全天球パノラマ画像における所定領域Ｔの画像は、図６（ｂ）に示されているように、所定のディスプレイに、所定領域画像として表示される。図６（ｂ）に示されている画像は、初期設定（デフォルト）された所定領域情報（ｘ，ｙ，α）によって表された画像である。
【００２０】
ここで、図７を用いて、所定領域情報と所定領域画像の関係について説明する。なお、図７は、所定領域情報と所定領域画像の関係との関係を示した図である。図７に示されているように、仮想カメラＩＣの画角αによって表される所定領域Ｔの対角線画角を２Ｌとした場合の中心点ＣＰが、所定領域情報の（ｘ，ｙ）パラメータとなる。ｆは仮想カメラＩＣから所定領域Ｔの中心点ＣＰまでの距離である。そして、図７では、一般的に以下の式（１）で示される三角関数が成り立つ。
【００２１】
Ｌｆ＝ｔａｎ（α／２）・・・（式１）
＜画像通信システムの概略＞
続いて、図８を用いて、本実施形態の画像通信システムの構成の概略について説明する。図８は、本実施形態の画像通信システムの構成の概略図である。
【００２２】
図８に示されているように、本実施形態の画像通信システムは、撮影装置１、通信端末３、無線ルータ９ａ、画像管理システム５、及び通信端末７によって構成されている。
【００２３】
このうち、撮影装置１は、上述のように、全天球（３６０°）パノラマ画像を得るためのデジタルカメラである。なお、この撮影装置１は、一般的なデジタルカメラであっても良く、通信端末３にカメラが付いている場合は、通信端末３がデジタルカメラとなりうる。本実施形態では、説明を分かりやすくするために全天球パノラマ画像を得るためのデジタルカメラとして説明を行う。通信端末３は、撮影装置１への充電やデータ送受信を行なうクレードル(Cradle)の一例である。また、通信端末３は、接点を介して撮影装置１とデータ通信を行なうことができると共に、無線ルータ９ａ及び通信ネットワーク９を介して画像管理システム９とデータ通信を行なうことができる。なお、通信ネットワーク９は、例えば、インターネットである。
【００２４】
また、画像管理システム５は、例えば、サーバコンピュータであり、通信ネットワーク９を介して、通信端末３，５とデータ通信を行なうことができる。画像管理システム５には、OpenGL ESがインストールされており、全天球パノラマ画像を作成する。また、画像管理システム５は、全天球パノラマ画像の一部の画像（所定領域画像又は後述の特定領域画像）のサムネイルデータを作成し、通信端末７にサムネイルデータ及び撮影画像データを提供する。
【００２５】
また、通信端末７は、例えば、ノートＰＣ(Personal Computer)であり、通信ネットワーク９を介して、画像管理システム５とデータ通信を行なうことができる。なお、画像管理システム５は、単一のサーバコンピュータによって構成されてもよいし、複数のサーバコンピュータによって構成されてもよい。
【００２６】
更に、撮影装置１、通信端末３、及び無線ルータ９ａは、衣服等の各販売拠点で設置者Ｘによって所定の位置に設置される。通信端末７は、各販売拠点を統括する本社等に設置され、画像管理システム５を介して送られて来る各拠点の状況を表した画像を表示することで、閲覧者Ｙが各拠点の状況を表した画像（以下、「拠点状況画像」と示す）を閲覧することができる。画像管理システム５は、各拠点の通信端末３から送られて来た撮影画像データに基づいてサムネイルデータを作成したり、通信端末７にサムネイルデータや撮影画像データを提供したりするサービスを行なうサービス会社等に設置されている。
【００２７】
＜実施形態のハードウェア構成＞
次に、図９乃至図１１を用いて、本実施形態の撮影装置１、通信端末３，７、及び画像管理システム５のハードウェア構成を詳細に説明する。
【００２８】
まず、図９を用いて、撮影装置１のハードウェア構成を説明する。なお、図９は、撮影装置のハードウェア構成図である。以下では、撮影装置１は、２つの撮像素子を使用した全方位撮影装置とするが、撮像素子は３つ以上いくつでもよい。また、必ずしも全方位撮影専用の装置である必要はなく、通常のデジタルカメラやスマートフォン等に後付けの全方位撮影ユニットを取り付けることで、実質的に撮影装置１と同じ機能を有するようにしてもよい。
【００２９】
図９に示されているように、撮影装置１は、撮像ユニット１０１、画像処理ユニット１０４、撮像制御ユニット１０５、マイク１０８、音処理ユニット１０９、ＣＰＵ(Central Processing Unit)１１１、ＲＯＭ(Read Only Memory)１１２、ＳＲＡＭ(Static Random Access Memory)１１３、ＤＲＡＭ(Dynamic Random Access Memory)１１４、操作部１１５、ネットワークＩ／Ｆ１１６、通信部１１７、及びアンテナ１１７ａによって構成されている。
【００３０】
このうち、撮像ユニット１０１は、各々半球画像を結像するための１８０°以上の画角を有する広角レンズ（いわゆる魚眼レンズ）１０２ａ，１０２ｂと、各広角レンズに対応させて設けられている２つの撮像素子１０３ａ，１０３ｂを備えている。撮像素子１０３ａ，１０３ｂは、魚眼レンズによる光学像を電気信号の画像データに変換して出力するＣＭＯＳ(Complementary Metal Oxide Semiconductor)センサやＣＣＤ(Charge Coupled Device)センサなどの画像センサ、この画像センサの水平又は垂直同期信号や画素クロックなどを生成するタイミング生成回路、この撮像素子の動作に必要な種々のコマンドやパラメータなどが設定されるレジスタ群などを有している。
【００３１】
撮像ユニット１０１の撮像素子１０３ａ，１０３ｂは、各々、画像処理ユニット１０４とはパラレルＩ／Ｆバスで接続されている。一方、撮像ユニット１０１の撮像素子１０３ａ，１０３ｂは、撮像制御ユニット１０５とは別に、シリアルＩ／Ｆバス（Ｉ２Ｃバス等）で接続されている。画像処理ユニット１０４及び撮像制御ユニット１０５は、バス１１０を介してＣＰＵ１１１と接続される。さらに、バス１１０には、ＲＯＭ１１２、ＳＲＡＭ１１３、ＤＲＡＭ１１４、操作部１１５、ネットワークＩ／Ｆ１１６、通信部１１７、及び電子コンパス１１８なども接続される。
【００３２】
画像処理ユニット１０４は、撮像素子１０３ａ，１０３ｂから出力される画像データをパラレルＩ／Ｆバスを通して取り込み、それぞれの画像データに対して所定の処理を施した後、これらの画像データを合成処理して、図３（ｃ）に示されているようなメルカトル画像のデータを作成する。
【００３３】
撮像制御ユニット１０５は、一般に撮像制御ユニット１０５をマスタデバイス、撮像素子１０３ａ，１０３ｂをスレーブデバイスとして、Ｉ２Ｃバスを利用して、撮像素子１０３ａ，１０３ｂのレジスタ群にコマンド等を設定する。必要なコマンド等は、ＣＰＵ１１１から受け取る。また、該撮像制御ユニット１０５は、同じくＩ２Ｃバスを利用して、撮像素子１０３ａ，１０３ｂのレジスタ群のステータスデータ等を取り込み、ＣＰＵ１１１に送る。
【００３４】
また、撮像制御ユニット１０５は、操作部１１５のシャッターボタンが押下されたタイミングで、撮像素子１０３ａ，１０３ｂに画像データの出力を指示する。撮影装置によっては、ディスプレイによるプレビュー表示機能や動画表示に対応する機能を持つ場合もある。この場合は、撮像素子１０３ａ，１０３ｂからの画像データの出力は、所定のフレームレート（フレーム／分）によって連続して行われる。
【００３５】
また、撮像制御ユニット１０５は、後述するように、ＣＰＵ１１１と協働して撮像素子１０３ａ，１０３ｂの画像データの出力タイミングの同期をとる同期制御手段としても機能する。なお、本実施形態では、撮影装置には表示部が設けられていないが、表示部を設けてもよい。
【００３６】
マイク１０８は、音を音（信号）データに変換する。音処理ユニット１０９は、マイク１０８から出力される音データをＩ／Ｆバスを通して取り込み、音データに対して所定の処理を施す。
【００３７】
ＣＰＵ１１１は、撮影装置１の全体の動作を制御すると共に必要な処理を実行する。ＲＯＭ１１２は、ＣＰＵ１１１のための種々のプログラムを記憶している。ＳＲＡＭ１１３及びＤＲＡＭ１１４はワークメモリであり、ＣＰＵ１１１で実行するプログラムや処理途中のデータ等を記憶する。特にＤＲＡＭ１１４は、画像処理ユニット１０４での処理途中の画像データや処理済みのメルカトル画像のデータを記憶する。
【００３８】
操作部１１５は、種々の操作ボタンや電源スイッチ、シャッターボタン、表示と操作の機能を兼ねたタッチパネルなどの総称である。ユーザは操作ボタンを操作することで、種々の撮影モードや撮影条件などを入力する。
【００３９】
ネットワークＩ／Ｆ１１６は、ＳＤカード等の外付けのメディアやパーソナルコンピュータなどとのインターフェース回路（ＵＳＢＩ／Ｆ等）の総称である。また、ネットワークＩ／Ｆ１１６としては、無線、有線を問わずにネットワークインタフェースである場合も考えられる。ＤＲＡＭ１１４に記憶されたメルカトル画像のデータは、このネットワークＩ／Ｆ１１６を介して外付けのメディアに記録されたり、必要に応じてネットワークＩ／ＦとなるネットワークＩ／Ｆ１１６を介して通信端末３等の外部装置に送信されたりする。
【００４０】
通信部１１７は、撮影装置１に設けられたアンテナ１１７ａを介して、WiFi(wireless fidelity)やＮＦＣ等の短距離無線技術によって、通信端末３等の外部装置と通信を行う。この通信部１１７によっても、メルカトル画像のデータを通信端末３の外部装置に送信することができる。
【００４１】
電子コンパス１１８は、地球の磁気から撮影装置１の方位及び傾き(Roll回転角)を算出し、方位・傾き情報を出力する。この方位・傾き情報はExifに沿った関連情報（メタデータ）の一例であり、撮影画像の画像補正等の画像処理に利用される。なお、関連情報には、画像の撮影日時、及び画像データのデータ容量の各データも含まれている。
【００４２】
次に、図１０を用いて、通信端末３のハードウェア構成を説明する。なお、図１０は、無線通信機能を有したクレードルの場合の通信端末３のハードウェア構成図である。
【００４３】
図１０に示されているように、通信端末３は、通信端末３全体の動作を制御するＣＰＵ３０１、基本入出力プログラムを記憶したＲＯＭ３０２、ＣＰＵ３０１のワークエリアとして使用されるＲＡＭ(Random Access Memory)３０３、ＣＰＵ３０１の制御にしたがってデータの読み出し又は書き込みを行うＥＥＰＲＯＭ（Electrically Erasable and Programmable ROM）３０４、ＣＰＵ３０１の制御に従って被写体を撮像し画像データを得る撮像素子としてのＣＭＯＳセンサ３０５を備えている。
【００４４】
なお、ＥＥＰＲＯＭ３０４には、ＣＰＵ３０１が実行するオペレーティングシステム(OS)、その他のプログラム、及び、種々データが記憶されている。また、ＣＭＯＳセンサ３０５の代わりにＣＣＤセンサを用いてもよい。
【００４５】
更に、通信端末３は、アンテナ３１３ａ、このアンテナ３１３ａを利用して無線通信信号により、無線ルータ９ａ等と通信を行う通信部３１３、ＧＰＳ（Global Positioning Systems）衛星又は屋内ＧＰＳとしてのＩＭＥＳ(Indoor MEssaging System）によって通信端末３の位置情報（緯度、経度、および高度）を含んだＧＰＳ信号を受信するＧＰＳ受信部３１４、及び、上記各部を電気的に接続するためのアドレスバスやデータバス等のバスライン３１０を備えている。
【００４６】
図１１を用いて、画像管理システム５及びノートＰＣの場合の通信端末７のハードウェア構成を説明する。なお、図１１は、画像管理システム５及び通信端末７のハードウェア構成図である。画像管理システム５、及び通信端末７は、ともにコンピュータであるため、以下では、画像管理システム５の構成について説明し、通信端末７の構成の説明は省略する。
【００４７】
画像管理システム５は、画像管理システム５全体の動作を制御するＣＰＵ５０１、ＩＰＬ等のＣＰＵ５０１の駆動に用いられるプログラムを記憶したＲＯＭ５０２、ＣＰＵ５０１のワークエリアとして使用されるＲＡＭ５０３、画像管理システム５用のプログラム等の各種データを記憶するＨＤ５０４、ＣＰＵ５０１の制御にしたがってＨＤ５０４に対する各種データの読み出し又は書き込みを制御するＨＤＤ(Hard Disk Drive)５０５、フラッシュメモリ等の記録メディア５０６に対するデータの読み出し又は書き込み（記憶）を制御するメディアドライブ５０７、カーソル、メニュー、ウィンドウ、文字、又は画像などの各種情報を表示するディスプレイ５０８、通信ネットワーク９を利用してデータ通信するためのネットワークＩ／Ｆ５０９、文字、数値、各種指示などの入力のための複数のキーを備えたキーボード５１１、各種指示の選択や実行、処理対象の選択、カーソルの移動などを行うマウス５１２、着脱可能な記録媒体の一例としてのＣＤ−ＲＯＭ(Compact Disc Read Only Memory)５１３に対する各種データの読み出し又は書き込みを制御するＣＤ−ＲＯＭドライブ５１４、及び、上記各構成要素を図１１に示されているように電気的に接続するためのアドレスバスやデータバス等のバスライン５１０を備えている。
【００４８】
＜実施形態の処理の概略＞
次に、図１２を用いて、本実施形態の処理の概略について説明する。図１２は、本実施形態の処理の概略を示した図である。
【００４９】
まず、通信端末３が撮影装置１から、撮影画像データ、所定領域情報、及び関連情報を取得する（ステップＳ１）。そして、通信端末３は、画像管理システム５に対して、撮影画像データ、所定領域画像、及び関連情報を送信する（ステップＳ２）。この送信は、例えば、１分おきに行なわれる。次に、画像管理システム５は、撮影画像データから人物の画像である人物像を検出すると共に、撮影画像データに基づいてサムネイルデータを作成する（ステップＳ３）。そして、画像管理システム５は、所定領域画像、関連情報、及び所定領域画像の全サムネイルデータを送信する（ステップＳ４）。次に、通信端末７は、画像管理システム５に対して、閲覧者Ｙによって要求されたサムネイルの表示の変更要求を送信する（ステップＳ５）。これにより、画像管理システム５は通信端末７に対して、変更要求に基づいて変更後のサムネイルデータを送信する（ステップＳ６）。例えば、通信端末７が、ステップＳ５によって、変更要求として、人物像が含まれる撮影画像データから作成されたサムネイルに絞り込む要求をした場合、画像管理システム５は、ステップＳ６によって、絞り込み要求に応じた絞り込み後のサムネイルデータを送信する。これにより、変化のない又は変化の少ないサムネイルを閲覧して、何が映っているのか困惑するということを解消することができる。
【００５０】
＜＜実施形態の機能構成＞＞
次に、図９乃至図１１、及び図１３を用いて、本実施形態の機能構成について説明する。図１３は、本実施形態の画像通信システムの一部を構成する、撮影装置１、通信端末３、画像管理システム５、及通信端末７の各機能ブロック図である。図１３では、画像管理システム５が、通信ネットワーク９を介して、通信端末３及び通信端末７とデータ通信することができる。
【００５１】
＜撮影装置１の機能構成＞
図１３に示されているように、撮影装置１は、受付部１２、撮像部１３、集音部１４、接続部１８、及び記憶・読出部１９を有している。これら各部は、図９に示されている各構成要素のいずれかが、ＳＲＡＭ１１３からＤＲＡＭ１１４上に展開された撮影蔵置用のプログラムに従ったＣＰＵ１１１からの命令によって動作することで実現される機能又は手段である。
【００５２】
また、撮影装置１は、図９に示されているＲＯＭ１１２、ＳＲＡＭ１１３、及びＤＲＡＭ１１４によって構築される記憶部１０００を有している。
【００５３】
（撮影装置１の各機能構成）
次に、図９及び図１３を用いて、撮影装置１の各機能構成について更に詳細に説明する。
【００５４】
撮影装置１の受付部１２は、主に、図９に示されている操作部１１５及びＣＰＵ１１１の処理によって実現され、利用者（図８では、設置者Ｘ）からの操作入力を受け付ける。
【００５５】
撮像部１３は、主に、図９に示されている撮像ユニット１０１、画像処理ユニット１０４、及び撮像制御ユニット１０５、並びにＣＰＵ１１１の処理によって実現され、風景等を撮像し、撮影画像データを得る。
【００５６】
集音部１４は、図９に示されている１０８及び音処理ユニット１０９、並びにＣＰＵ１１１の処理によって実現され、撮影装置１の周囲の音を収音する。
【００５７】
接続部１８は、主に、電気接点、及びＣＰＵ１１１の処理によって実現され、通信端末３からの電源供給を受けると共に、データ通信を行う。
【００５８】
記憶・読出部１９は、主に、図９に示されているＣＰＵ１１１の処理によって実現され、記憶部１０００に各種データ（または情報）を記憶したり、記憶部１０００から各種データ（または情報）を読み出したりする。
【００５９】
＜通信端末３の機能構成＞
図１３に示されているように、通信端末３は、送受信部３１、接続部３８、及び記憶・読出部３９を有している。これら各部は、図１０に示されている各構成要素のいずれかが、ＥＥＰＲＯＭ３０４からＲＡＭ３０３上に展開された通信端末３用プログラムに従ったＣＰＵ３０１からの命令によって動作することで実現される機能又は手段である。
【００６０】
また、通信端末３は、図１０に示されているＲＯＭ３０２、ＲＡＭ３０３、及びＥＥＰＲＯＭ３０４によって構築される記憶部３０００を有している。
【００６１】
（通信端末３の各機能構成）
次に、図１０及び図１３を用いて、通信端末３の各機能構成について更に詳細に説明する。
【００６２】
通信端末３の送受信部３１は、主に、図１０に示されている通信部３１３及びＣＰＵ３０１の処理によって実現され、無線ルータ９ａ及び通信ネットワーク９を介して、画像管理システム５と各種データ（または情報）の送受信を行う。
【００６３】
接続部３８は、主に、電気接点、及びＣＰＵ３０１の処理によって実現され、通信端末３に電源供給すると共に、データ通信を行う。
【００６４】
記憶・読出部３９は、主に、図１０に示されているＣＰＵ３０１の処理によって実現され、記憶部３０００に各種データ（または情報）を記憶したり、記憶部３０００から各種データ（または情報）を読み出したりする。
【００６５】
＜画像管理システムの機能構成＞
次に、図１１及び図１３を用いて、画像管理システム５の各機能構成について詳細に説明する。画像管理システム５は、送受信部５１、人物検出部５２、作成部５３、生成部５４、判断部５５、描画像処理部５６及び記憶・読出部５９を有している。これら各部は、図１１に示されている各構成要素のいずれかが、ＨＤ５０４からＲＡＭ５０３上に展開された画像管理システム５用プログラムに従ったＣＰＵ５０１からの命令によって動作することで実現される機能又は手段である。
【００６６】
また、画像管理システム５は、図１１に示されているＲＡＭ５０３、及びＨＤ５０４によって構築される記憶部５０００を有している。この記憶部５０００には、通信端末３から送られて来る撮影画像データ、この撮影画像データに基づいて作成したサムネイルデータ、及び、通信端末７から送られて来る描画像データが記憶される。この描画像データは、閲覧者Ｙによって添付された画像データであり、例えば、図４０に示されているように、閲覧者が描画した矢印とコメント（ここでは“ｃｈｅｃｋ”）を示す。
【００６７】
更に、記憶部５０００には、拠点管理ＤＢ５００１、端末管理ＤＢ５００２、撮影管理ＤＢ５００３、画像管理ＤＢ５００４、及びサムネイル管理ＤＢ５００５、及び描画像管理ＤＢ５００６が構築されている。このうち、拠点管理ＤＢ５００１は、後述の拠点管理テーブルによって構成されている。端末管理ＤＢ５００２は、後述の撮影管理テーブルによって構成されている。撮影管理ＤＢ５００３は、撮影管理テーブルによって構成されている。画像管理ＤＢ５００４は、後述の画像管理テーブルによって構成されている。サムネイル管理ＤＢ５００５は、サムネイル管理テーブルによって構成されている。描画像管理ＤＢ５００６は、描画像管理テーブルによって構築されている。以下、各テーブルについて詳細に説明する。
【００６８】
（拠点管理テーブル）
図１４は、拠点管理テーブルを示す概念図である。この拠点管理テーブルでは、地域ＩＤ、地域名、拠点ＩＤ、拠点名、拠点のレイアウトマップのファイル名、及び、装置ＩＤが関連付けて記憶されて管理されている。このうち、地域ＩＤは、地域を識別するための地域識別情報の一例である。地域は、例えば、関東、東京、渋谷区、ニューヨーク州、ニューヨーク市等の一定の範囲を示す。拠点ＩＤは、拠点を識別するための拠点識別情報の一例である。拠点名は、渋谷店等の店舗名や、渋谷会場等の会場名等を示す。レイアウトマップは、図２１に示されているように、各拠点のレイアウトを示し、２次元座標で詳細に拠点内の位置を特定することができる。なお、図２１は、拠点レイアウトマップの概念図である。装置ＩＤは、撮影装置１を識別するための装置識別情報の一例である。レイアウトマップのデータは、記憶部５０００に記憶されている。
【００６９】
（端末管理テーブル）
図１５は、端末管理テーブルを示す概念図である。この端末管理テーブルでは、装置ＩＤ毎に、装置設置位置情報、及び所定領域情報が関連付けて記憶されて管理されている。このうち、装置設置位置情報は、例えば、図２１に示されているように、２次元座標で示された拠点レイアウトマップ上における撮影装置の設置位置を示す。所定領域情報は、図７で説明した所定領域情報である。この端末管理テーブルにおける装置ＩＤ、装置設置位置情報、及び所定領域情報は、閲覧者Ｙが設置者Ｘから予め取得した情報である。設置者Ｘは、各撮影装置１を拠点内の所定の位置に設置する際に、閲覧者Ｙに電子メール等で伝える。
【００７０】
（撮影管理テーブル）
図１６は、撮影管理テーブルを示す概念図である。この撮影管理テーブルでは、拠点ＩＤ毎に、撮影タイトル、撮影開始日時、及び撮影終了日時が関連付けて記憶されて管理されている。このうち、撮影タイトルは、閲覧者によって入力されたタイトルであり、閲覧者によって複数の撮影画像データから所望の撮影画像データを抽出する際に利用される。撮影開始日時は、閲覧者によって入力された日時であり、撮影装置１が撮影を開始する（又は開始した）日時を示す。撮影終了日時は、閲覧者によって入力された日時であり、撮影装置１が撮影を終了する（又は終了した）日時を示す。
【００７１】
（画像管理テーブル）
図１７は、画像管理テーブルを示す概念図である。この画像管理テーブルでは、装置ＩＤ毎に、撮影画像ＩＤ、撮影画像データのファイル名、及び撮影画像の撮影日時が関連付けて記憶されて管理されている。このうち、撮影画像ＩＤは、撮影画像データを識別するための撮影画像識別情報の一例である。撮影画像データのファイル名は、この関連付けられている撮影画像ＩＤで示される撮影画像データのファイル名である。撮影画像の撮影日時は、この関連付けられている撮影画像データが装置ＩＤで示される撮影装置１で撮影された日時である。撮影画像データは、記憶部５０００に記憶されている。
【００７２】
（サムネイル管理テーブル）
図１８は、サムネイル管理テーブルを示す概念図である。このサムネイル管理テーブルでは、サムネイルＩＤ毎に、サムネイルデータのファイル名、撮影画像ＩＤ、及びこの撮影画像ＩＤで示される撮影画像データに関連する関連情が関連付けて記憶されて管理されている。また、関連情報には、撮影画像の撮影日時、人物像の撮影日時、人物像の検出数、人物ＩＤ、人物位置と範囲、描画数、描画ＩＤ、及び描画位置と範囲が含まれる。
【００７３】
このうち、サムネイルＩＤは、この関連付けられている撮影画像ＩＤで示される撮影画像データに基づいて作成されたサムネイルデータを識別するためのサムネイル識別情報の一例である。サムネイルデータのファイル名は、この関連付けられているサムネイルＩＤで示されるサムネイルデータのファイル名である。撮影画像ＩＤ及び撮影日時は、それぞれ画像管理テーブル(図１７参照)の撮影画像ＩＤ、及び撮影日時と同じである。人物像の検出数は、検出部５２によって、撮影画像データから検出された人物像の数である。人物ＩＤは、検出部５２によって、撮影画像データから検出された人物像を識別するための人物識別情報の一例である。検出部５２は、撮影画像データに任意の人物像が含まれていることを検知するだけでなく、人物の縦横サイズや色彩等の特徴量に基づいて各人物を区別して検知することができるため、複数の撮影画像データにおいて同じ人物像を検知した場合には、人物ＩＤは同じになる。人物位置と範囲は、撮影画像（全天球パノラマ画像）データにおける人物画像の特定の１点と、幅と高さによる範囲である。例えば、図１９（ａ）に示されているように、人物像は矩形状に検知され、矩形の左上の角が人物の位置（ｘ１１，ｙ１１，ｚ１１）を示し、矩形の幅がｗ１１で、矩形の高さがｈ１１を示す。
【００７４】
また、描画数は、撮影画像データに閲覧者が描画した描画像の数を示す。描画ＩＤは、描画像を識別するための描画識別情報の一例である。描画位置と範囲は、撮影画像（全天球パノラマ画像）データにおける描画像の特定の１点と、幅と高さによる範囲である。例えば、図１９（ｂ）に示されているように、閲覧者が同じタイミングで描画した描画像は矩形状の１つの画像として１ファイルで記憶部５０００に記憶され、矩形の左上の角が描画像の位置（ｘ２１，ｙ２１，ｚ２１）を示し、矩形の幅がｗ２１で、矩形の高さがｈ２１を示す。
【００７５】
（描画像管理テーブル）
図２０は、描画像管理テーブルを示す概念図である。この描画像管理テーブルでは、撮影画像ＩＤ、描画ＩＤ、描画像データのファイル名、描画位置、描画像の範囲、及び基準位置が関連付けて記憶されて管理されている。このうち、撮影画像ＩＤは、画像管理テーブル（図１７参照）における撮影画像ＩＤと同じである。描画ＩＤは、サムネイル管理テーブル（図１８参照）における描画ＩＤと同じである。描画像データのファイル名は、この関連付けられている描画ＩＤで示される描画像データのファイル名である。描画位置と描画像の範囲は、それぞれサムネイル管理テーブル（図１８参照）における描画位置と範囲と同じである。基準位置は、三次元の仮想空間内における仮想カメラＩＣの初期位置（初期視点の位置）を示す。なお、描画像管理テーブルで管理されているデータのうち、サムネイルの表示の変更に関連するデータは、サムネイル管理テーブル（図１８参照）で別途管理されている。
【００７６】
（画像管理システムの各機能構成）
次に、図１１及び図１３を用いて、画像管理システム５の各機能構成について詳細に説明する。
【００７７】
画像管理システム５の送受信部５１は、主に、図１１に示されているネットワークＩ／Ｆ５０９及びＣＰＵ５０１の処理によって実現され、通信ネットワーク９を介して通信端末３、又は通信端末７と各種データ（または情報）の送受信を行う。
【００７８】
検出部５２は、主に、図１１に示されているＣＰＵ５０１の処理によって実現され、撮影画像データにおける人物像を検出する。この人物像の検出は、ＳＶＭ(Support Vector Machine)の人物検出方式等により行なわれる。具体的には、検出部５２は、撮影画像データにおける人物像の特徴量に基づいて各人物を検出し、検出した各人物像の撮影画像（３次元画像）データにおける位置を特定する。この場合の特徴量は、例えば、人物の縦横サイズ、色彩、顔等である。
【００７９】
作成部５３は、主に、図１１に示されているＣＰＵ５０１の処理によって実現され、検出部５２によって検出された人物像を含むサムネイルデータを作成する。
【００８０】
生成部５４は、主に、図１１に示されているＣＰＵ５０１の処理によって実現され、後述の図２７乃至図２９、図３１及び図３２、並びに図３５乃至図４０に示されているような各画面を生成する。
【００８１】
判断部５５は、主に、図１１に示されているＣＰＵ５０１の処理によって実現され、各種判断を行なう。判断部５５は、例えば、撮影開始日時及び撮影終了日時との間で、画像管理テーブル（図１７参照）において、まだ読み出していない撮影画像データのファイル名があるか否かを判断する。
【００８２】
描画像処理部５６は、主に、図１１に示されているＣＰＵ５０１の処理によって実現され、閲覧者によって撮影画像データに係る所定領域画像に描画された描画像を、撮影画像データの添付画像として作成する。これにより、閲覧者Ｙが通信端末７で所定領域画像に描画した描画像は、例えば、図４０に示されているように、矢印とコメント（ここでは、“ｃｈｅｃｋ”）として表わされる。
【００８３】
記憶・読出部５９は、主に、図１１に示されているＨＤＤ５０５、及びＣＰＵ５０１の処理によって実現され、記憶部５０００に各種データ（または情報）を記憶したり、記憶部５０００から各種データ（または情報）を読み出したりする。
【００８４】
＜通信端末７の機能構成＞
次に、図１１及び図１３を用いて、通信端末７の機能構成について詳細に説明する。通信端末７は、送受信部７１、受付部７２、表示制御部７３、及び、記憶・読出部７９を有している。これら各部は、図１１に示されている各構成要素のいずれかが、ＨＤ５０４からＲＡＭ５０３上に展開された通信端末７用プログラムに従ったＣＰＵ５０１からの命令によって動作することで実現される機能又は手段である。
【００８５】
また、通信端末７は、図１１に示されているＲＡＭ５０３、及びＨＤ５０４によって構築される記憶部７０００を有している。
【００８６】
（通信端末７の各機能構成）
次に、図１３を用いて、通信端末７の各機能構成について詳細に説明する。
【００８７】
通信端末７の送受信部７１は、主に、図１１に示されているネットワークＩ／Ｆ５０９及びＣＰＵ５０１の処理によって実現され、通信ネットワーク９を介して画像管理システム５と各種データ（または情報）の送受信を行う。
【００８８】
受付部７２は、主に、図１１に示されているキーボード５１１及びマウス５１２、並びにＣＰＵ５０１の処理によって実現され、利用者（図８では、閲覧者Ｙ）からの操作入力を受け付ける。
【００８９】
表示制御部７３は、主に、図１１に示されているＣＰＵ５０１の処理によって実現され、通信端末７のディスプレイ５０８に各種画像を表示させるための制御を行なう。
【００９０】
記憶・読出部７９は、主に、図１１に示されているＨＤＤ５０４、及びＣＰＵ５０１の処理によって実現され、記憶部７０００に各種データ（または情報）を記憶したり、記憶部７０００から各種データ（または情報）を読み出したりする。
【００９１】
＜＜実施形態の処理又は動作＞＞
続いて、図２２乃至図４０を用いて、本実施形態の処理又は動作について説明する。まず、図２２を用いて、閲覧者Ｙが通信端末７を利用して、撮影装置１の撮影予約の処理を説明する。図２２は、撮影予約の処理を示すシーケンス図である。また、図２７及び図２８は、日程表画面を示す図である。図２９は、レイアウトマップの表示の画面例を示す図である。図３０は、特定拠点における所定領域画像を示す図である。図３１及び図３２は、特定拠点における拠点状況画面である。この拠点状況画面は、上部にレイアウトマップ、中央部に所定領域画像（特定領域画像）、及び下部に各サムネイルを表わすサムネイル画面によって構成されている。
【００９２】
図２２に示されているように、閲覧者Ｙが、通信端末７に拠点ＩＤを入力すると、受付部７２が拠点ＩＤの入力を受け付ける（ステップＳ１１）。この場合、通信端末７のディスプレイ５０８上には、図２７（ａ）に示されているように、拠点ＩＤを入力するための入力欄７１１０が表示されるため、閲覧者Ｙは、入力欄７１１０に閲覧したい店舗等である拠点の拠点ＩＤを入力する。これにより、送受信部７１は、画像管理システム５に対して、日程表の要求を送信する（ステップＳ１２）。この要求には、ステップＳ１１で入力された拠点ＩＤが含まれている。これにより、画像管理システム５の送受信部５１は、日程表の要求を受信する。
【００９３】
次に、画像管理システム５の記憶・読出部５９は、送受信部５１によって受信された拠点ＩＤを検索キーとして撮影管理テーブル（図１６参照）を検索することにより、対応する撮影タイトル、撮影開始日時、及び撮影終了日時を読み出すと共に、拠点ＩＤを検索キーとして拠点管理テーブル（図１４参照）を検索することにより、対応する拠点名を読み出す（ステップＳ１３）。そして、生成部５４が、ステップＳ１３によって読み出された各種情報に基づいて、図２７（ｂ）に示されているような日程表画面を作成し、送受信部５１が通信端末７に日程表画面のデータを送信する（ステップＳ１４）。この際、日程表画面データと共に、拠点ＩＤも送信される。これにより、通信端末７の送受信部７１は、日程表画面のデータを受信する。
【００９４】
次に、通信端末７では、表示制御部７３が、ディスプレイ５０８に、図２７（ｂ）に示されているような日程表画面を表示させる（ステップＳ１５）。日程表画面には、１画面で１週間の日毎に時間の表が表示され、予約ボタン７２９０が表示されている。そして、受付部７２は、閲覧者Ｙから撮影予約を受け付ける（ステップＳ１６）。具体的には、閲覧者Ｙが所望の日の項目７２１０を押下した後、予約ボタン７２９０を押下すると、表示制御部７３が、図２８（ａ）に示されているような「撮影の予約」画面を表示する。そして、閲覧者Ｙが、撮影タイトル（ここでは、「土日セール」）、撮影の開始時間（ここでは、１０：００）、及び、撮影の終了時間（ここでは、１８：００）を入力し、「ＯＫ」ボタン７３８０を押下すると、送受信部７１が、画像管理システム５に対して、撮影予約を送信する（ステップ１７）。この撮影予約には、拠点ＩＤ、撮影タイトル、撮影開始日時、及び撮影終了日時が含まれている。これにより、画像管理システム５の送受信部５１は、撮影予約を受信する。
【００９５】
次に、画像管理システム５の記憶・読出部５９は、撮影管理テーブル（図１６参照）に、新たなレコードとして、撮影予約の内容を記憶する（ステップＳ１８）。以上により、撮影予約の処理が終了する。なお、撮影予約は、図２８（ｂ）に示されているような日程表画面でなく、１画面で１日、２週間、１ヶ月間を表わすようにしてもよい。
【００９６】
続いて、図２３を用いて、画像管理システム５が撮影管理テーブル（図１６参照）に基づいて、通信端末３に撮影指示を行なう処理について説明する。図２３は、撮影指示を行なう処理を示したシーケンス図である。
【００９７】
図２３に示されているように、画像管理システム５の送受信部５１は、拠点ＩＤで示される拠点内の全ての通信端末３に対して、撮影指示を送信する（ステップＳ３１）。この撮影指示には、撮影開始日時及び撮影終了日時が含まれている。これにより、通信端末３は、撮影指示を受信する。
【００９８】
次に、通信端末３は、撮影開始時間になると、撮影装置１に対して、撮影開始指示を送信する（ステップＳ３２）。これにより、撮影装置１の送受信部１１は、撮影開始指示を受信する。
【００９９】
次に、通信端末３では、例えば、１０分毎に撮影を行い、通信端末３に対して、自己の装置ＩＤ、撮影画像データ、関連情報、及び所定領域情報を送信する（ステップＳ３３）。関連情報は、実際の撮影日時等を示す。所定領域情報は、撮影装置１の工場出荷時に予め定められた視点方向を示している。これにより、通信端末３の送受信部３１は、装置ＩＤ、撮影画像データ、関連情報、及び所定領域情報を受信する。
【０１００】
次に、通信端末３の送受信部３１は、画像管理システム５に対して、画像の登録要求を送信する（ステップＳ３４）。この画像の登録要求には、ステップＳ３で受信された装置ＩＤ、撮影画像データ、関連情報、及び所定領域情報が含まれている。これにより。画像管理システム５の送受信部５１は、画像の登録要求を受信する。そして、画像管理システム５では、記憶・読出部５９が、ステップＳ３４によって受信された撮影画像データに対して、新たに画像ＩＤを割り当てる（ステップＳ３５）。
【０１０１】
次に、記憶・読出部５９は、各テーブルに対して各情報を記録して管理する（ステップＳ３６）。具体的には、記憶・読出部５９は、端末管理テーブル（図１５参照）に対して、装置ＩＤに対応する所定領域情報を上書きして管理する。また、記憶・読出部５９は、画像管理テーブル（図１７参照）に対して、新たなレコードとして、装置ＩＤ、画像ＩＤ、画像データのファイル名、及び撮影日時を関連付けて記憶する。このうち、装置ＩＤは、ステップＳ３４によって受信されたＩＤである。画像ＩＤは、ステップＳ３５によって割り当てられたＩＤである。画像データのファイル名は、ステップ３４によって受信された撮影画像データのファイル名である。撮影日時は、ステップＳ３４によって受信された関連情報に含まれる撮影日時である。
【０１０２】
次に、送受信部５１は、通信端末３に対して、登録完了の通知を送信する（ステップＳ３７）。この通知には、画像ＩＤが含まれている。これにより、通信端末３の送受信部３１は、登録完了の通知を受信する。そして、通信端末３の記憶・読出部３９は、記憶部３０００に画像ＩＤを記憶する（ステップＳ３８）。
【０１０３】
続いて、図２４を用いて、レイアウトマップの表示の処理について説明する。図２４は、レイアウトマップの表示の処理を示すシーケンス図である。
【０１０４】
図２４に示されているように、閲覧者Ｙが、通信端末７に拠点ＩＤを入力すると、受付部７２が拠点ＩＤの入力を受け付ける（ステップＳ５１）。この場合、通信端末７のディスプレイ５０８上には、図２７（ａ）に示されているように、拠点ＩＤを入力するための入力欄７１１０が表示されるため、閲覧者Ｙは、入力欄７１１０に閲覧したい店舗等である拠点の拠点ＩＤを入力する。これにより、送受信部７１は、画像管理システム５に対して、日程表の要求を送信する（ステップＳ５２）。この要求には、ステップＳ５１で入力された拠点ＩＤが含まれている。これにより、画像管理システム５の送受信部５１は、日程表の要求を受信する。
【０１０５】
次に、画像管理システム５の記憶・読出部５９は、送受信部５１によって受信された拠点ＩＤを検索キーとして撮影管理テーブル（図１６参照）を検索することにより、対応する撮影タイトル、撮影開始日時、及び撮影終了日時を読み出すと共に、拠点ＩＤを検索キーとして拠点管理テーブル（図１４参照）を検索することにより、対応する拠点名を読み出す（ステップＳ５３）。そして、生成部５４が、ステップＳ１３によって読み出された各種情報に基づいて、図２８（ｂ）に示されているような日程表画面を作成し、送受信部５１が通信端末７に日程表画面のデータを送信する（ステップＳ５４）。この際、日程表画面データと共に、拠点ＩＤも送信される。これにより、通信端末７の送受信部７１は、日程表画面のデータを受信する。
【０１０６】
次に、通信端末７では、表示制御部７３が、ディスプレイ５０８に、図２８（ｂ）に示されているような日程表画面を表示させる（ステップＳ５５）。ここでは、図２７（ｂ）と異なり、既に撮影予約されていた場合の日程表画面が示されている。図２８（ｂ）では、例えば、ステップＳ１６〜Ｓ１８の処理で行なわれた撮影日程の内容を示す日程情報７４１０等が表示されている。
【０１０７】
次に、閲覧者Ｙが、例えば、日程情報７４１０を押下すると、受付部７２が、日程情報７４１０に係るレイアウトマップの取得を受け付ける（ステップＳ５６）。そして、送受信部７１が、画像管理システム５に対して、レイアウトマップを要求する（ステップＳ５７）。この要求には、拠点ＩＤ、撮影開始日時、及び撮影終了日時が含まれている。これにより、画像管理システム５の送受信部５１は、レイアウトマップの要求を受信する。
【０１０８】
次に、画像管理システム５の記憶・読出部５９は、ステップＳ５７によって受信された拠点ＩＤを検索キーとして、拠点管理テーブル（図１４参照）を検索することにより、対応するレイアウトアップのファイル名を読み出す（ステップ５８）。また、記憶・読出部５９は、ステップＳ５７によって受信された拠点ＩＤを検索キーとして、拠点管理テーブル（図１４参照）を検索することにより、対応するレイアウトアップのファイル名、及び装置ＩＤを読み出す（ステップ５８）。また、記憶・読出部５９は、読み出した装置ＩＤを検索キーとして、端末管理テーブル（図１５参照）を検索することにより、対応する装置設置位置情報、及び所定領域情報を読み出す（ステップＳ５８）。
【０１０９】
次に、生成部５４は、ステップＳ５８によって読み出された各情報を利用して、レイアウトマップを生成する（ステップ５９）。そして、送受信部５１は、通信端末7に対して、レイアウトマップのデータを送信する（ステップＳ６０）。これにより、通信端末７の送受信部７１は、レイアウトマップのデータを受信する。そして、通信端末７では、表示制御部７３が、ディスプレイ５０８に、図２９（ａ）に示されているような拠点状況画面を表示させる（ステップＳ６１）。この拠点状況画面の上部には、その拠点に設置された全ての撮影装置を示すアイコンを含んだレイアウトが表示されている。
【０１１０】
続いて、図２５を用いて、撮影画像データの表示処理を説明する。図２５は、撮影画像データの表示処理を示すシーケンス図である。
【０１１１】
まず、図２５に示されているように、閲覧者Ｙが、図２９（ｂ）に示すように、所望の撮影装置のアイコンを選択すると、受付部７２が、選択された撮影装置を受け付ける（ステップＳ７１）。これにより、送受信部７１は、画像管理システム５に対して、選択された撮影装置が撮影した撮影画像データ及びサムネイルデータの要求を送信する（ステップＳ７２）。この要求には、選択されたアイコンに係る撮影装置の装置ＩＤが含まれている。これにより、画像管理システム５の送受信部５１は、撮影画像データ及びサムネイルデータの要求を受信する。
【０１１２】
次に、画像管理システム５は、サムネイルの作成処理を行なう（ステップＳ７３）。ここで、図２６を用いて、サムネイルの作成処理について具体的に説明する。図２６は、サムネイルの作成処理を示すフローチャートである。
【０１１３】
まず、画像管理システム５の記憶・読出部５９は、ステップＳ５７によって受信された撮影開始日時及び撮影終了日時との間、即ち、撮影管理テーブル（図１６参照）で管理されている撮影開始日時と撮影終了日時との間で、ステップＳ７２によって受信された装置ＩＤを検索キーとして画像管理テーブル（図１７参照）を検索することにより、対応する画像データのファイル名を読み出すと共に、このファイル名の撮影画像データを記憶部５０００から読み出す（ステップＳ２０１）。そして、検出部５２は、撮影画像データ内から人物像を検出する処理を行なう（ステップＳ２０２）。この場合、検出部５２は、撮影画像データにおける人物像を検出する。そして、記憶・読出部５９は、サムネイル管理テーブル（図１８参照）において、新たにサムネイルＩＤを割り当て、このサムネイルＩＤに対して、撮影画像ＩＤと共に人物像の検出結果である関連情報の一部を関連付けて記憶して管理する（ステップＳ２０３）。この場合の関連情報の一部は、撮影画像の撮影日時、人物像の検出数、人物ＩＤ、及び人物位置と範囲である。以降、検出部５２が、人物を検出することができ、かつ、この人物が予め端末管理テーブルで管理されている所定領域情報で示される所定領域画像に含まれていない場合について、続けて説明する。
【０１１４】
記憶・読出部５９は、端末管理テーブル（図１５参照）において、ステップＳ７２によって受信された装置ＩＤに対応する所定領域情報を、人物が含まれる特定領域情報に変更する（ステップＳ２０４）。この場合、最初の所定領域情報で示される所定領域画像は、図３０（ａ）に示されているように、人物が映らないで柱が映っているが、人物が映っている特定領域情報に変更された後は、この特定領域情報に固定され、図３０（ｂ），（ｃ），（ｄ）に順次示されているように、時系列的に人物が映る特定領域画像となる。
【０１１５】
次に、記憶・読出部５９は、ステップＳ２０１によって読み出した撮影画像データの撮影画像ＩＤを検索キーとして、描画像管理テーブル（図２０参照）を検索することにより、対応する描画ＩＤ、描画像データのファイル名、描画位置及び描画像の範囲を示す各情報を読み出すと共に、このファイル名の描画像データを記憶部５０００から読み出す（ステップＳ２０５）。
【０１１６】
次に、記憶・読出部５９は、ステップＳ２０５によって読み出した描画ＩＤ、描画位置、及び描画像の範囲の各情報に基づいて、サムネイル管理テーブル（図１８参照）において、撮影画像ＩＤに対して、関連情報の一部を関連付けて記憶して管理する（ステップＳ２０６）。この場合の関連情報の一部は、描画数、描画ＩＤ、及び描画位置と範囲である。このうち、描画数は、描画像管理テーブル（図２０参照）において、同じ撮影画像ＩＤに関連付けて管理されている描画ＩＤの数である。描画ＩＤは、描画像管理テーブル（図２０参照）における描画ＩＤである。描画位置と範囲は、描画像管理テーブル（図２０参照）における描画位置及び描画像の範囲である。
【０１１７】
次に、作成部５３は、端末管理テーブル（図１５参照）で管理されている特定領域情報で示される特定領域画像、及び、サムネイル管理テーブル（図１８参照）で管理されている関連情報に基づいて、サムネイルデータを作成する（ステップＳ２０７）。作成部５３は、例えば、図３１の左下側に示されているサムネイルｔ１のように、特定領域画像ｓ１のサムネイルであり、下部に撮影日時が表わされ、左上部に人物像の検出数（ここでは、「３」）が表わされている。なお、この人数は、撮影画像（全天球パノラマ画像）データ全体内で検知された人物の人数を示し、特定領域画像内のみで検知された人物の人数を示すものではない。また、サムネイルｔ１は、元の撮影画像データ内に描画像データが含まれていない場合を示しており、元の撮影画像データ内に描画像データが含まれている場合は、サムネイルｔ４のように、サムネイルの右上部に描画数（ここでは、「１」）が表わされる。
【０１１８】
次に、記憶・読出部５９は、ステップＳ２０７によって作成されたサムネイルデータを記憶部５０００に記憶すると共に、新たにサムネイルデータのファイル名を作成して、サムネイル管理テーブル（図１８）に記憶して管理する（ステップＳ２０８）。
【０１１９】
次に、判断部５５は、ステップＳ５７によって受信された撮影開始日時及び撮影終了日時との間で、画像管理テーブル（図１７参照）において、読み出していない撮影画像データのファイル名があるか否かを判断する（ステップＳ２０９）。ステップＳ２０９において、判断部５５が、読み出していない撮影画像データのファイル名があると判断した場合には（ＹＥＳ）、ステップＳ２０１の処理に戻る。また、ステップＳ２０９において、判断部５５が、読み出していない撮影画像データのファイル名がないと判断した場合には（ＮＯ）、ステップＳ７３のサムネイルの作成処理が終了する。
【０１２０】
次に、図２５に戻って、画像管理システム５の送受信部５１は、通信端末７に対して、拠点名、選択された日時の最初の撮影画像データ、撮影開始日時と撮影終了日時との間の全てのサムネイルデータ、及び撮影日時を送信する（ステップＳ７４）。この場合、撮影画像データと共に、この撮影画像データの画像ＩＤが送信され、各サムネイルデータと共に、各サムネイルデータのサムネイルＩＤが送信される。これにより、通信端末７の送受信部７１は、拠点名、選択された日時の最初の撮影画像データ、撮影開始日時と撮影終了日時との間の全てのサムネイルデータ、及び撮影日時を受信する。
【０１２１】
次に、通信端末７の表示制御部７３は、図３１に示されているように、拠点状況画面として、図３１に示されている拠点状況画像内の下側に、特定領域画像、及び各サムネイルを表示する（ステップＳ７５）。図３１では、人物が表示された特定領域画像ｓ１が表示されている。この特定領域画像ｓ１の左上部には、人物表示ボタンｍ１、日時間隔表示ボタンｍ２、及び重ね合わせ表示ボタンｍ３が表示されている。また、特定領域画像ｓ１の右上部には、描画像表示ボタンｍ４、領域限定ボタンｍ５が表示されている。これらのうち、人物表示ボタンｍ１は、複数のサムネイルのうち、人物像が含まれる撮影画像データに基づいて作成されたサムネイルに絞り込むためのボタンである。日時間隔表示ボタンｍ２は、元の撮影画像データの撮影日時をサムネイルの表示間隔で表わすためのボタンである。重ね合わせ表示ボタンｍ３は、複数のサムネイルのうち、同一人物像が含まれる撮影画像データに基づいて作成されたサムネイル同士を一部重ねて表示させるためのボタンである。描画像表示ボタンｍ４は、複数のサムネイルのうち、描画像が含まれる撮影画像データに基づいて作成されたサムネイルに絞り込むためのボタンである。領域限定ボタンｍ５は、人物像及び描画増の検索範囲を、全天球パノラマ画像全体から、特定の画像領域に限定するためのボタンである。また、各サムネイルの下部には、表示しきれないサムネイルを表示する場合にスライドさせるためのスライドバーｂ１が表示されている。
【０１２２】
次に、閲覧者Ｙが、図３２に示されているように、左から２番目のサムネイルｔ２を選択すると、受付部７２は、この選択を受け付ける（ステップＳ７６）。そして、送受信部７１は、画像管理システム５に対して、特定領域画像のデータの要求を行なう（ステップＳ７７）。この要求には、ステップＳ７６で選択されたサムネイルのサムネイルＩＤが含まれている。これにより、画像管理システム５の送受信部５１は、特定領域画像のデータの要求を受信する。
【０１２３】
次に、画像管理システム５では、記憶・読出部５９が、ステップＳ７７で受信されたサムネイルＩＤを検索キーとして、サムネイル管理テーブル（図１８参照）を検索することにより、対応する画像ＩＤを読み出す（ステップＳ７８）。更に、記憶・読出部５９が、この画像ＩＤを検索キーとして画像管理テーブル（図１７参照）を検索することにより、対応する撮影画像データのファイル名を読み出し、これにより、記憶部５０００からこのファイル名の撮影画像データを読み出す（ステップＳ７９）。
【０１２４】
次に、送受信部５１は、ステップＳ７９で読み出された撮影画像データから、特定領域情報に基づいて、特定領域画像を生成する(ステップＳ８０)。そして、送受信部５１は、通信端末７に対して特定領域画像のデータを送信する（ステップＳ８１）。この際、ステップＳ７８によって読み出された撮影画像データの画像ＩＤも送信される。これにより、通信端末７の送受信部７１は、撮影画像データ及び画像ＩＤを受信する。
【０１２５】
次に、通信端末７では、表示制御部７３が、図３２に示されているように、ディスプレイ５０８に、閲覧者Ｙによって選択されたサムネイルに係る特定領域画像を表示する（ステップＳ８２）。以上より、閲覧者Ｙは、所望の撮影日時の特定領域画像を閲覧することができる。
【０１２６】
続いて、図３３乃至図４０を用いて、サムネイルの表示を変更する処理を説明する。図３３は、サムネイルの表示を変更する処理を示すシーケンス図である。図３４は、サムネイルの表示を変更する処理を示すフローチャートである。図３５乃至図４０は、特定拠点における拠点状況画面である。
【０１２７】
まず、図３２に示されている拠点状況画面の状態で、閲覧者Ｙが、図３５に示されているように、人物表示ボタンｍ１にカーソルを合わせて押下すると、通信端末７の受付部７２は、サムネイルの表示の変更を受け付ける（ステップＳ９１）。そして、送受信部７１は、画像管理システム５に対して、所定の関連情報のうち特定の関連情報に関連付けられている特定のサムネイル識別情報に係る特定のサムネイルに表示を変更するための変更要求を送信する（ステップＳ９２）。人物表示ボタンｍ１が押下された場合の変更要求は、１以上の人物像が含まれた撮影画像データに基づいて作成された特定のサムネイルに絞り込んだ表示に変更する要求である。これにより、画像管理システム５の送受信部５１は、変更要求を受信する。
【０１２８】
次に、画像管理システム５では、サムネイルの表示の変更処理を行なう（ステップＳ９３）。ここで、図３４を用いて、サムネイルの表示の変更処理を詳細に説明する。
【０１２９】
図３４に示されているように、記憶・読出部５９は、記憶部５０００に対して、変更要求の内容を示す変更要求データを検索する（ステップ３０１）。既に変更要求データが保存されている場合には（ステップＳ３０２，ＹＥＳ）、記憶・読出部５９は、ステップＳ３０１で検索された変更要求データの内容とステップＳ９２で受信された変更要求の内容を組み合わせた検索キーとしてサムネイル管理テーブル（図１８参照）を検索することにより、対応するサムネイルデータのファイル名を読み出すと共に、このファイル名のサムネイルデータを記憶部５０００から読み出す（ステップＳ３０３）。一方、既に変更要求データが保存されていない場合には（ステップＳ３０２，ＮＯ）、記憶・読出部５９は、ステップＳ９２で受信された変更要求の内容のみを検索キーとしてサムネイル管理テーブル（図１８参照）を検索することにより、対応するサムネイルデータのファイル名を読み出すと共に、このファイル名のサムネイルデータを記憶部５０００から読み出す（ステップＳ３０４）。最初は、既に変更要求データが保存されていない場合（ステップＳ３０２，ＮＯ）として、記憶・読出部５９は、単独の変更要求に基づいてサムネイル管理テーブル（図１８参照）を検索し、人物像の検索数が１以上のサムネイルデータのファイル名を読み出すと共に、このファイル名の特定のサムネイルデータを記憶部５０００から読み出す。
【０１３０】
次に、記憶・読出部５９は、ステップＳ３０３で組み合わせた検索キーとしての新たな変更要求データを記憶部５０００に上書き保存するか、又は、ステップＳ３０４で用いられた検索キーとしての最初の変更要求データを記憶部５０００に保存する（ステップＳ３０５）。ここでは、記憶・読出部５９は、ステップＳ３０４で用いられた検索キーとしての最初の変更要求データを記憶部５０００に保存する。最後に、生成部５４は、各サムネイルを含むサムネイル画面データを生成する（ステップＳ３０６）。以上より、ステップＳ９３の処理が終了する。
【０１３１】
続いて、図３３に戻り、送受信部５１は、通信端末７に対して、変更後のサムネイル画面データを送信する（ステップＳ９４）。この際、各サムネイルデータの各サムネイルＩＤも送信される。これにより、通信端末７の送受信部７１は、変更後のサムネイル画面データ及びサムネイルＩＤを受信する。
【０１３２】
次に、通信端末７の表示制御部７３は、図３５に示されているように、元の撮影画像データに人物像が含まれていないサムネイルｔ３，ｔ５を表示せず、元の撮影画像データに人物像が含まれているサムネイルｔ１，ｔ２，ｔ４，ｔ６，ｔ７，ｔ８を表示する。ここでは、サムネイルｔ３，ｔ５が表示されないため、新たにサムネイルｔ７，ｔ８が左側に詰まって表示されることになる。
【０１３３】
図３３及び図３４に示されている各処理は、他の変更要求でも同様に実行されるため、以下では、他の変更要求を簡単に説明する。
【０１３４】
図３５に示されている拠点状況画面の状態で、閲覧者Ｙが、図３６に示されているように、日時間隔表示ボタンｍ２にカーソルを合わせて押下すると、ステップＳ９１の処理として、通信端末７の受付部７２は、サムネイルの表示の変更を受け付ける。この場合、ステップＳ９２で送信される変更要求は、撮影日時に応じてサムネイルの表示位置の間隔を空けた表示に変更する要求である。この場合、ステップＳ３０１では、既に、人物表示ボタンｍ１が押下された際に保存された表示変更データが検索されるため、ステップＳ３０３によって、人物表示ボタンｍ１と日時間隔表示ボタンｍ２の両方が押下された状態の変更要求に基づいて、特定のサムネイルデータが読み出される。なお、日時間隔表示ボタンｍ２が押下された場合、ステップＳ３０３において、記憶・読出部５９は、サムネイル管理テーブル（図１８参照）の関連情報のうち、「撮影日時」を検索する。また、ステップＳ３０６において、生成部５４は、撮影日時を反映した位置間隔で各サムネイルを含むサムネイル画面データを生成する。
【０１３５】
これにより、ステップＳ９４によって、変更後のサムネイル画面データが送信されると、ステップＳ９５によって、通信端末７の表示制御部７３は、図３６に示されているように、撮影日時を反映した位置間隔でサムネイルｔ１，ｔ２，ｔ４，ｔ６を表示する。この場合、時間間隔の空白領域が生じるため、図３５で示されていたサムネイルｔ７、ｔ８は、右側に隠れて表示されなくなる。サムネイルｔ７，ｔ８を表示する場合は、閲覧者Ｙがスライドバーｂ１を右側にスライドさせればよい。
【０１３６】
続けて、図３６に示されている拠点状況画面の状態で、閲覧者Ｙが、図３７に示されているように、重ね合わせ表示ボタンｍ３にカーソルを合わせて押下すると、ステップＳ９１の処理として、通信端末７の受付部７２は、サムネイルの表示の変更を受け付ける。この場合、ステップＳ９２で送信される変更要求は、同一人物像が含まれる撮影画像データに基づいて作成された特定のサムネイルを重ねた表示に変更する要求である。この場合、ステップＳ３０１では、既に、人物表示ボタンｍ１及び日時間隔表示ボタンｍ２が押下された際に保存された表示変更データが検索するため、ステップＳ３０３によって、人物表示ボタンｍ１、日時間隔表示ボタンｍ２、及び重ね合わせ表示ボタンｍ３が押下された状態の変更要求に基づいて、特定のサムネイルデータが読み出される。なお、重ね合わせ表示ボタンｍ３が押下された場合、ステップＳ３０３において、記憶・読出部５９は、サムネイル管理テーブル（図１８参照）の関連情報のうち、「人物ＩＤ」を検索する。また、ステップＳ３０６において、生成部５４は、同一人物像を含むサムネイルを重ねたサムネイル画面データを生成する。この場合、人物像の検出数が同じであっても、人物ＩＤが同じでない場合には、作成部５３は、サムネイルを重ねない。
【０１３７】
これにより、ステップＳ９４によって、変更後のサムネイルデータが送信されると、ステップＳ９５によって、通信端末７の表示制御部７３は、図３７に示されているように、サムネイルｔ１、ｔ２同士の少なくとも一部を重ね合わせて表示する。
【０１３８】
続けて、図３７に示されている拠点状況画面の状態で、閲覧者Ｙが、図３８に示されているように、描画像表示ボタンｍ４にカーソルを合わせて押下すると、ステップＳ９１の処理として、通信端末７の受付部７２は、サムネイルの表示の変更を受け付ける。この場合、ステップＳ９２で送信される変更要求は、１以上の描画像が描画された撮影画像データに基づいて作成されたサムネイルに絞り込んだ表示に変更する要求である。この場合、ステップＳ３０１では、既に、人物表示ボタンｍ１、日時間隔表示ボタンｍ２、及び重ね合わせ表示ボタンｍ３が押下された際に保存された表示変更データが検索されるため、ステップＳ３０３によって、人物表示ボタンｍ１、日時間隔表示ボタンｍ２、重ね合わせ表示ボタンｍ３、及び描画像表示ボタンｍ４が押下された状態の変更要求に基づいて、特定のサムネイルデータが読み出される。なお、描画像表示ボタンｍ４が押下された場合、ステップＳ３０３において、記憶・読出部５９は、サムネイル管理テーブル（図１８参照）の関連情報のうち、「描画像の添付数」を検索する。また、ステップＳ３０６において、生成部５３は、１以上の描画像を含む撮影画像データに基づいて作成されたサムネイルに絞り込んでサムネイル画面データを生成する。
【０１３９】
これにより、ステップＳ９４によって、変更後のサムネイルデータが送信されると、ステップＳ９５によって、通信端末７の表示制御部７３は、図３８に示されているように、サムネイルｔ４、ｔ６を表示する。
【０１４０】
続けて、図３８に示されている拠点状況画面の状態で、閲覧者Ｙが、図３９に示されているように、領域限定ボタンｍ５にカーソルを合わせて押下し、特定の画像領域枠ａ１を設定すると、ステップＳ９１の処理として、通信端末７の受付部７２は、サムネイルの表示の変更を受け付ける。この場合、ステップＳ９２で送信される変更要求は、撮影画像（全天球パノラマ画像）データに係る全画像領域のうち、特定の画像領域に含まれている人物像の検出数又は描画像の添付数が１以上存在する撮影画像データに基づいて作成されたサムネイルに絞り込んだ表示に変更する要求である。この場合、ステップＳ３０１では、既に、人物表示ボタンｍ１、日時間隔表示ボタンｍ２、重ね合わせ表示ボタンｍ３、描画像表示ボタンｍ４が押下された際に保存された表示変更データが検索されるため、ステップＳ３０３によって、人物表示ボタンｍ１、日時間隔表示ボタンｍ２、重ね合わせ表示ボタンｍ３、描画像表示ボタンｍ４、及び領域限定ボタンｍ５が押下された状態の変更要求に基づいて、特定のサムネイルデータが読み出される。なお、領域限定ボタンｍ５が押下された場合、ステップＳ３０３において、記憶・読出部５９は、サムネイル管理テーブル（図１８参照）の関連情報のうち、「人物位置」及び「描画位置」を検索する。この場合、特定の画像領域ａ１内に「人物位置」又は「描画位置」が含まれるサムネイルＩＤが読み出されるが、特定の画像領域ａ１内に「人物位置」及び「人物範囲」が含まれる場合のサムネイルＩＤ、又は、特定画像領域ａ１内に「描画位置」及び「描画範囲」が含まれる場合のサムネイルＩＤが読み出されるようにしてもよい。また、ステップＳ３０６において、生成部５４は、特定の画像領域に人物像及び描画像が含まれる撮影画像データに基づいて作成されたサムネイルに絞り込んでサムネイル画面データを生成する。この場合、生成部５４は、下記四角領域１，２の検索数及び添付数を表すように、サムネイル画面データを生成する。
【０１４１】
これにより、ステップＳ９４によって、変更後のサムネイルデータが送信されると、ステップＳ９５によって、通信端末７の表示制御部７３は、図３９に示されているように、サムネイルｔ４’を表示する。サムネイルｔ４’は、元のサムネイルｔ４に対して、新たに特定の画像領域ａ１内の人物像の検索数（ここでは、四角領域の２）と描画像の添付数（ここでは四角領域の１）を追加して表わしている。
【０１４２】
次に、図３９に示されている拠点状況画面の状態で、閲覧者Ｙが、図４０に示されているように、サムネイルｔ４’にカーソルを合わせて押下すると、上記ステップＳ７６〜Ｓ８２の処理が実行され、図４０に示されているように、表示制御部７３は、サムネイルｔ４’の元の撮影画像データにおける特定領域画像ｓ３を表示する。
【０１４３】
以上より、閲覧者Ｙは、サムネイルを徐々に絞り込んで、所望の撮影画像データにおける特定領域画像ｓ３を閲覧することができる。
【０１４４】
＜＜本実施形態の主な効果＞＞
以上説明したように本実施形態によれば、設置者Ｘが、どの向きに撮影装置１を設置しても、閲覧者Ｙは、人物が映るサムネイルを閲覧することができる。これにより、閲覧者Ｙは、複数のサムネイルから人物が映って変化のあるサムネイルを選択することができる。
【０１４５】
また、閲覧者Ｙが、サムネイルを選択すると、図３２に示されているように、このサムネイルに応じた特定領域画像が表示されるため、客がどのような商品に興味があるかを把握することができる。
【０１４６】
更に、複数のサムネイルが表示された場合であっても、利用者である閲覧者Ｙは、サムネイルを徐々に絞り込んで、所望の撮影画像データにおける特定領域画像ｓ３を閲覧することができるため、注目すべき撮影画像データを探すことが容易になる。
【０１４７】
〔変形例〕
図４１及び図４２は、特定拠点における拠点状況画面の変形例である。
【０１４８】
図３７では、サムネイルｔ１，ｔ２は、各元の撮影画像データが同じ人物像を含んでいるため、重ね合わせて表示されているが、これに限るものではない。例えば、各元の撮影画像データが同じ人物像を含む場合であっても、サムネイルｔ１’、ｔ２のように描画像の添付数が異なれば、図４１に示されているように、重ね合わせずに表示されてもよい。
【０１４９】
また、図３９では、特定の画像領域ａ１内において、それまで絞り込まれたサムネイルが更に絞り込まれているが、これに限るものではない。例えば、図４２に示されているように、表示制御部７３は、改めて、人物像が含まれている撮影画像データに基づいて作成された特定のサムネイルに絞り込むためのチェックボックス、及び、描画像が添付されている撮影画像データに基づいて作成された特定のサムネイルに絞り込むためのチェックボックスを示す絞込み条件のポップアップ画面を表示するようにしてもよい。
【０１５０】
〔実施形態の補足〕
更に、上記実施形態における画像管理システム５、及びリンク情報管理システム７は、単一のコンピュータによって構築されてもよいし、各部（機能、手段、又は記憶部）を分割して任意に割り当てられた複数のコンピュータによって構築されていてもよい。
【０１５１】
また、上記実施形態の各プログラムが記憶されたＣＤ−ＲＯＭ等の記録媒体、並びに、これらプログラムが記憶されたＨＤ５０４は、いずれもプログラム製品(Program Product)として、国内又は国外へ提供されることができる。
【符号の説明】
【０１５２】
１  撮影装置
３  通信端末
５  画像管理システム
７  通信端末
９  通信ネットワーク
５１  送受信部（送信手段の一例、受信手段の一例）
５２  検出部（検出手段の一例）
５３  作成部（作成手段の一例）
５４  生成部（生成手段の一例）
５５  判断部（判断手段の一例）
５６  描画像処理部（描画像処理手段の一例）
５９  記憶・読出部
５０８  ディスプレイ（表示手段の一例）
５０００  記憶部
５００１  拠点管理ＤＢ（拠点管理手段の一例）
５００２  端末管理ＤＢ（端末管理手段の一例）
５００３  撮影管理ＤＢ（撮影管理手段の一例）
５００４  画像管理ＤＢ（画像管理手段の一例）
５００５  サムネイル管理ＤＢ（サムネイル管理手段の一例、管理手段の一例）
５００６  描画像管理ＤＢ（描画像管理手段の一例）
【先行技術文献】
【特許文献】
【０１５３】
【特許文献１】特開２０１４−１３１２１５号公報
【図１】
0006665558.tif 000002
【図２】
0006665558.tif 000003
【図３】
0006665558.tif 000004
【図４】
0006665558.tif 000005
【図５】
0006665558.tif 000006
【図６】
0006665558.tif 000007
【図７】
0006665558.tif 000008
【図８】
0006665558.tif 000009
【図９】
0006665558.tif 000010
【図１０】
0006665558.tif 000011
【図１１】
0006665558.tif 000012
【図１２】
0006665558.tif 000013
【図１３】
0006665558.tif 000014
【図１４】
0006665558.tif 000015
【図１５】
0006665558.tif 000016
【図１６】
0006665558.tif 000017
【図１７】
0006665558.tif 000018
【図１８】
0006665558.tif 000019
【図１９】
0006665558.tif 000020
【図２０】
0006665558.tif 000021
【図２１】
0006665558.tif 000022
【図２２】
0006665558.tif 000023
【図２３】
0006665558.tif 000024
【図２４】
0006665558.tif 000025
【図２５】
0006665558.tif 000026
【図２６】
0006665558.tif 000027
【図２７】
0006665558.tif 000028
【図２８】
0006665558.tif 000029
【図２９】
0006665558.tif 000030
【図３０】
0006665558.tif 000031
【図３１】
0006665558.tif 000032
【図３２】
0006665558.tif 000033
【図３３】
0006665558.tif 000034
【図３４】
0006665558.tif 000035
【図３５】
0006665558.tif 000036
【図３６】
0006665558.tif 000037
【図３７】
0006665558.tif 000038
【図３８】
0006665558.tif 000039
【図３９】
0006665558.tif 000040
【図４０】
0006665558.tif 000041
【図４１】
0006665558.tif 000042
【図４２】
0006665558.tif 000043